(57)【要約】      （修正有）【課題】動画データに関する取引を行うユーザの利便性を向上させる仲介システムを提供する。【解決手段】本発明の仲介システムにおいて保管システム１２０は、動画データを取得する取得部と、取得された動画データを格納する格納部と、動画データを利用する権利の許諾を許可する第１操作に用いられる第１ユーザインターフェースをユーザに提供する第１提供部と、動画データの複製を圧縮することによりプレビューデータを生成する生成部と、動画データから生成された前記プレビューデータに応じたプレビュー動画を表示し、当該動画データを利用する権利の許諾を要求する第２操作に用いられる第２ユーザインターフェースを他のユーザに提供する第２提供部と、格納部に格納された動画データのうち、第２ユーザインターフェースを用いて前記権利の許諾が要求された前記動画データの複製を出力する出力部とを備える。【選択図】図３
2019168936.tif 000002
【特許請求の範囲】
【請求項１】
ユーザから保管が依頼された動画データを取得する取得部と、
前記取得された動画データを格納する格納部と、
前記動画データを利用する権利の許諾を許可する第１操作に用いられる第１ユーザインターフェースを前記ユーザに提供する第１提供部と、
前記取得された動画データの複製を圧縮することによりプレビューデータを生成する生成部と、
前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる第２ユーザインターフェースを他のユーザに提供する第２提供部と、
前記格納部に格納された前記動画データのうち、前記第２ユーザインターフェースを用いて前記権利の許諾が要求された前記動画データの複製を出力する出力部と
を備える仲介システム。
【請求項２】
前記取得された動画データを、前記プレビューデータよりも低い圧縮率で圧縮する圧縮部をさらに備え、
前記格納部は、前記圧縮部により圧縮された前記動画データを格納する
請求項１に記載の仲介システム。
【請求項３】
前記生成部は、前記動画データを非可逆圧縮し、
前記圧縮部は、前記動画データを可逆圧縮し、
前記動画データの複製を伸長する伸長部をさらに備え、
前記出力部は、前記伸長された複製を出力する
請求項２に記載の仲介システム。
【請求項４】
前記取得部は、記録媒体に記録された動画に応じた動画データを取得する
請求項１から３のいずれか１項に記載の仲介システム。
【請求項５】
前記他のユーザに対して所定の利用規約に同意するかを確認する確認部をさらに備え、
前記出力部は、前記利用規約への同意が確認されたことに応じて、前記動画データの複製を出力する
請求項１から４のいずれか１項に記載の仲介システム。
【請求項６】
前記利用規約は、前記動画データの利用回数、利用期間、又は編集の制限を含む
請求項５に記載の仲介システム。
【請求項７】
前記ユーザに対して所定の利用規約に同意するかを確認する確認部をさらに備え、
前記第２ユーザインターフェースは、前記利用規約に同意することが確認された前記動画データにつき、前記権利の許諾を要求する操作を受け付ける
請求項１から４のいずれか１項に記載の仲介システム。
【請求項８】
前記利用規約は、前記ユーザに対し前記動画データを利用する権利を許諾する権原があることの確認を求める条項を含む
請求項７に記載の仲介システム。
【請求項９】
前記出力部は、前記動画データに応じた動画の再生時間、前記動画データのデータ量、又は前記他のユーザが使用する端末装置との間の通信環境が所定の条件を満たす場合には、前記動画データの複製を前記端末装置に送信する
請求項１から８のいずれか１項に記載の仲介システム。
【請求項１０】
前記出力部は、前記再生時間、前記データ量、又は前記通信環境が前記所定の条件を満たさない場合には、前記動画データの複製を送信せずに、前記動画データを記録媒体に書き込む
請求項９に記載の仲介システム。
【請求項１１】
前記動画データを利用する権利を許諾する対価の決済処理を実行する決済処理部をさらに備える
請求項１から１０のいずれか１項に記載の仲介システム。
【請求項１２】
ユーザから保管が依頼された動画データを取得する取得部と、
前記取得された動画データを格納する格納部と、
前記取得された動画データの複製を圧縮することによりプレビューデータを生成する生成部と、
前記生成されたプレビューデータを提供装置に送信する送信部と、
前記格納部に格納された前記動画データのうち、提供装置から前記ユーザに提供された第１ユーザインターフェースを用いて前記ユーザにより利用する権利の許諾が許可され、前記提供装置から他のユーザに提供された第２ユーザインターフェースを用いて前記他のユーザにより前記権利の許諾が要求された動画データの複製を出力する出力部とを備え、
前記第１ユーザインターフェースは、前記権利の許諾を許可する第１操作に用いられ、
前記第２ユーザインターフェースは、前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる
保管システム。
【請求項１３】
ユーザから保管が依頼された動画データを取得するステップと、
前記取得された動画データを格納部に格納するステップと、
前記動画データを利用する権利の許諾を許可する第１操作に用いられる第１ユーザインターフェースを前記ユーザに提供するステップと、
前記取得された動画データの複製を圧縮することによりプレビューデータを生成するステップと、
前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる第２ユーザインターフェースを他のユーザに提供するステップと、
前記格納部に格納された前記動画データのうち、前記第２ユーザインターフェースを用いて前記権利の許諾が要求された前記動画データの複製を出力するステップと
を備える仲介方法。
【発明の詳細な説明】
【技術分野】
【０００１】
本発明は、動画データに関する取引を仲介する技術に関する。
【背景技術】
【０００２】
電子商取引によるコンテンツの売買を仲介する技術が知られている。例えば特許文献１には、セラーは、販売したいコンテンツに関するデータをコンテンツ配給仲介システムのデータベースに登録し、セラー及びバイヤーは、コンテンツ配給仲介システムを利用して、コンテンツの売買契約に関するネゴシエーション及び売買契約の締結処理を行うことが記載されている。特許文献２には、コンテンツ提供者が提供するコンテンツを格納し、コンテンツ利用者から要望されたコンテンツを検索してコンテンツ利用者に対して配信することが記載されている。
【先行技術文献】
【特許文献】
【０００３】
【特許文献１】特開２００２−１４０５５５号公報
【特許文献２】特開２００３−２９６６０６号公報
【発明の概要】
【発明が解決しようとする課題】
【０００４】
特許文献１及び２に記載の技術では、いずれも、売り手側のユーザは、コンテンツを譲渡するために、コンテンツを登録しなければならず、ユーザの手間がかかる。また、特許文献１及び２に記載の技術では、いずれも、買い手側のユーザは、コンテンツの購入前に、コンテンツの内容の一部しかプレビューすることができず、不便である。
本発明は、動画データに関する取引を行うユーザの利便性を向上させることを目的とする。
【課題を解決するための手段】
【０００５】
本発明は、ユーザから保管が依頼された動画データを取得する取得部と、前記取得された動画データを格納する格納部と、前記動画データを利用する権利の許諾を許可する第１操作に用いられる第１ユーザインターフェースを前記ユーザに提供する第１提供部と、前記取得された動画データの複製を圧縮することによりプレビューデータを生成する生成部と、前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる第２ユーザインターフェースを他のユーザに提供する第２提供部と、前記格納部に格納された前記動画データのうち、前記第２ユーザインターフェースを用いて前記権利の許諾が要求された前記動画データの複製を出力する出力部とを備える仲介システムを提供する。
【０００６】
また、本発明は、ユーザから保管が依頼された動画データを取得する取得部と、前記取得された動画データを格納する格納部と、前記取得された動画データの複製を圧縮することによりプレビューデータを生成する生成部と、前記生成されたプレビューデータを提供装置に送信する送信部と、前記格納部に格納された前記動画データのうち、提供装置から前記ユーザに提供された第１ユーザインターフェースを用いて前記ユーザにより利用する権利の許諾が許可され、前記提供装置から他のユーザに提供された第２ユーザインターフェースを用いて前記他のユーザにより前記権利の許諾が要求された動画データの複製を出力する出力部とを備え、前記第１ユーザインターフェースは、前記権利の許諾を許可する第１操作に用いられ、前記第２ユーザインターフェースは、前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる保管システムを提供する。
【０００７】
さらに、本発明は、ユーザから保管が依頼された動画データを取得するステップと、前記取得された動画データを格納部に格納するステップと、前記動画データを利用する権利の許諾を許可する第１操作に用いられる第１ユーザインターフェースを前記ユーザに提供するステップと、前記取得された動画データの複製を圧縮することによりプレビューデータを生成するステップと、前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる第２ユーザインターフェースを他のユーザに提供するステップと、前記格納部に格納された前記動画データのうち、前記第２ユーザインターフェースを用いて前記権利の許諾が要求された前記動画データの複製を出力するステップとを備える仲介方法を提供する。
【発明の効果】
【０００８】
本発明によれば、動画データに関する取引を行うユーザの利便性を向上させることができる。
【図面の簡単な説明】
【０００９】
【図１】実施形態に係る仲介システム１００の構成の一例を示す図である。
【図２】保管システム１２０が有する各装置のハードウェア構成の一例を示す図である。
【図３】保管システム１２０の機能構成の一例を示す図である。
【図４】ウェブサーバ１３０のハードウェア構成の一例を示す図である。
【図５】ウェブサーバ１３０の機能構成の一例を示す図である。
【図６】ユーザＡが動画データを預ける際の動作の一例を示すシーケンスチャートである。
【図７】ストレージ１３３に格納されたプレビューデータの一例を示す図である。
【図８】格納装置１８０に格納された動画データの一例を示す図である。
【図９】保管システム１２０に保管されている動画データを出品する際の動作の一例を示すシーケンスチャートである。
【図１０】出品ページの画面５１０の一例を示す図である。
【図１１】確認ページの画面５２０一例を示す図である。
【図１２】ユーザＢが動画データを利用する権利を購入する際の動作の一例を示すシーケンスチャートである。
【図１３】一覧ページの画面７１０の一例を示す図である。
【図１４】詳細ページの画面７２０の一例を示す図である。
【図１５】確認ページの画面７３０の一例を示す図である。
【発明を実施するための形態】
【００１０】
１．構成
図１は、本実施形態に係る仲介システム１００の構成の一例を示す図である。仲介システム１００は、ユーザから保管が依頼された動画データを保管するとともに、このユーザと他のユーザとの間におけるこの動画データに関する取引を仲介するシステムである。動画データは、動画を示すデータである。この動画は、映像とも呼ばれ、連続的に変化する画像である。動画データには、音声を示す音声データが含まれていてもよい。
【００１１】
仲介システム１００は、複数の端末装置１１０と、保管システム１２０と、ウェブサーバ１３０とを備える。なお、図１に示す各装置の数は例示であり、これに限定されない。複数の端末装置１１０、保管システム１２０、及びウェブサーバ１３０は、通信回線１４０を介して接続されている。通信回線１４０は、例えばＶＰＮ（Virtual Private Network）であり、一般公衆回線よりもセキュリティが高い回線である。
【００１２】
端末装置１１０は、パーソナルコンピュータ、タブレット端末、スマートフォン等のユーザにより使用されるコンピュータである。ユーザは、端末装置１１０を使用して、動画データの保管を依頼することができる。また、ユーザは、端末装置１１０を使用して、他のユーザにより保管された動画データを利用する権利の許諾を得ることができる。この「利用する権利の許諾」には、著作権又は放送権の譲渡が含まれる。なお、譲渡とは、有償であるか無償であるかを問わない。
【００１３】
端末装置１１０は、入力装置１１１と、表示装置１１２とを備える。入力装置１１１は、各種の情報の入力に用いられる。入力装置１１１は、例えばキーボード、マウス、キー、及びタッチセンサのうち少なくともいずれかにより構成されてもよい。表示装置１１２は、各種の情報を表示する。表示装置１１２は、例えば液晶ディスプレイにより構成されてもよい。また、端末装置１１０には、予めウェブブラウザがインストールされている。ウェブブラウザが実行されることにより、表示装置１１２上に各種のウェブページが表示される。このウェブブラウザとウェブサーバ１３０との間では、例えばＶＰＮに対応する所定のプロトコルに従ってデータがやり取りされる。
【００１４】
保管システム１２０は、例えばアーカイブルームと呼ばれる場所に設置される。保管システム１２０は、ユーザから保管が依頼された動画データを保管する。保管システム１２０は、複数の変換装置１５０と、管理装置１６０と、圧縮伸長装置１７０と、格納装置１８０とを備える。これらの装置は、通信回線１９０を介して接続されている。通信回線１９０は、例えばＬＡＮ（Local Area Network）又は専用回線を含んで構成される。ただし、格納装置１８０は、通常は通信回線１９０に接続されておらず、必要に応じて、通信回線１９０に接続されて利用される。
【００１５】
変換装置１５０は、ユーザから提供された記録媒体の内容を動画データに変換する機能を有する。この記録媒体には、ユーザから保管が依頼された動画が記録されている。記録媒体は、動画を記録する媒体であり、例えば磁気テープ又はＨＤＤである。記録媒体には、動画がアナログ方式で記録されていてもよいし、デジタル方式で記録されていてもよい。動画データは、デジタルデータである。変換装置１５０は、動画が記録された記録媒体の種類毎に設けられる。例えば複数の変換装置１５０には、磁気テープに対応する変換装置１５０と、ＨＤＤ（hard disc drive）に対応する変換装置１５０とが含まれる。磁気テープに対応する変換装置１５０は、インジェスターとも呼ばれる。ＨＤＤに対応する変換装置１５０は、トランスコーダとも呼ばれる。
【００１６】
管理装置１６０は、ユーザから保管が依頼された動画データを管理する。また、管理装置１６０は、保管システム１２０において外部の装置とのインターフェースとして機能する。ただし、管理装置１６０は、通信回線１４０に常時接続されておらず、必要に応じて、通信回線１４０に接続される。
【００１７】
圧縮伸長装置１７０は、動画データを可逆圧縮する機能と、圧縮された動画データを伸長する機能とを有する。この「伸長」とは、圧縮されたデータを圧縮されていない状態に戻すことをいう。
【００１８】
格納装置１８０は、ユーザから保管が依頼された動画データを格納する。この「格納」とは、データを記録媒体に記憶することをいう。格納装置１８０は、例えば磁気テープを用いてデータを格納する大容量のテープライブラリである。ただし、格納装置１８０は、ＨＤＤ等、磁気テープ以外の記録媒体を用いて動画データを格納してもよい。
【００１９】
図２は、保管システム１２０が有する各装置のハードウェア構成の一例を示す図である。変換装置１５０、管理装置１６０、圧縮伸長装置１７０、及び格納装置１８０は、いずれも、プロセッサ１２１と、メモリ１２２と、ストレージ１２３と、通信装置１２４とを備えるコンピュータである。これらの装置は、バス１２５を介して接続されている。
【００２０】
プロセッサ１２１は、プログラムをメモリ１２２に読み出して実行することにより、各種の処理を実行する。プロセッサ１２１は、例えばＣＰＵ（Central Processing Unit）により構成されてもよい。メモリ１２２は、プロセッサ１２１により実行されるプログラムを記憶する。メモリ１２２は、例えばＲＯＭ（Read Only Memory）又はＲＡＭ（Random Access Memory）により構成されてもよい。ストレージ１２３は、各種のデータ及びプログラムを格納する。ストレージ１２３は、例えばハードディスクドライブ又はフラッシュメモリにより構成されてもよい。通信装置１２４は、通信回線１４０又は１９０に接続された通信インターフェースである。通信装置１２４は、通信回線１４０又は１９０を介してデータ通信を行う。
【００２１】
図３は、保管システム１２０の機能構成の一例を示す図である。保管システム１２０は、取得部２２１と、変換部２２２と、生成部２２３と、送信部２２４と、圧縮部２２５と、伸長部２２６と、出力部２２７とを有する。変換部２２２は、取得部２２１に含まれる。取得部２２１、変換部２２２、及び生成部２２３は、変換装置１５０に実装される。なお、図３では、変換装置１５０が１つだけ図示されているが、実際には、複数の変換装置１５０が設けられている。これらの変換装置１５０には、それぞれ取得部２２１、変換部２２２、及び生成部２２３が実装される。送信部２２４及び出力部２２７は、管理装置１６０に実装される。圧縮部２２５及び伸長部２２６は、圧縮伸長装置１７０に実装される。これらの機能は、実装された各装置上において、メモリ１２２に記憶されたプログラムと、このプログラムを実行するプロセッサ１２１との協働により、プロセッサ１２１が演算を行い又は通信装置１２４による通信を制御することにより実現される。
【００２２】
取得部２２１は、記録媒体に記録された動画に応じた動画データを取得する。取得部２２１は、変換装置１５０によって異なる記録媒体から動画データを取得する。例えば変換装置１５０がＨＤＤに対応する場合、その変換装置１５０に実装された取得部２２１は、ＨＤＤから動画データを取得する。一方、変換装置１５０が磁気テープに対応する場合、その変換装置１５０に実装された取得部２２１は、磁気テープから動画データを取得する。
【００２３】
変換部２２２は、記録媒体に記録された動画に応じた動画データを非可逆圧縮することにより、所定の形式の動画データに変換する。変換部２２２により圧縮された動画データの圧縮率は、後述するプレビューデータの圧縮率よりも低い。所定の形式は、後段の処理において処理可能な形式である。例えば所定の形式は、ＭＸＦ（Material Exchange Format）又はＭＯＶ形式であってもよい。変換された動画データは、取得部２２１により取得される。
【００２４】
生成部２２３は、取得部２２１により取得された動画データの複製を非可逆圧縮することによりプレビューデータを生成する。プレビューデータは、動画データが示す動画のプレビューに用いられるデータである。この「プレビュー」とは、実際に決定する前に試しに見ることをいう。例えばプレビューデータの圧縮率は、通信回線１４０を介して容易にやり取りし得るようなデータ量となるような圧縮率であり、動画データの圧縮率よりも高い。
【００２５】
送信部２２４は、生成部２２３により生成されたプレビューデータをウェブサーバ１３０に送信する。また、送信部２２４は、取得部２２１により取得された動画データを格納装置１８０に送信する。この動画データは、圧縮伸長装置１７０を介して格納装置１８０に送信されてもよい。
【００２６】
圧縮部２２５は、動画データを可逆圧縮する。圧縮部２２５により圧縮された動画データの圧縮率は、プレビューデータの圧縮率及び変換部２２２により圧縮された動画データの圧縮率よりも低い。圧縮部２２５により圧縮された動画データは、格納装置１８０に格納される。
【００２７】
伸長部２２６は、格納装置１８０に格納された動画データのうち、可逆圧縮された動画データの複製を伸長する。この複製は、例えば動画データをコピーすることにより生成される。可逆圧縮されている動画データを伸長した場合、伸長された動画データは、圧縮前の動画データと完全に一致する。
【００２８】
出力部２２７は、格納装置１８０に格納された動画データのうち、ユーザにより利用される権利の許諾が許可されるとともに、他のユーザにより利用する権利の許諾が要求された動画データの複製を出力する。この出力は、例えば磁気テープやＨＤＤ等の記録媒体への書き込みであってもよい。
【００２９】
図４は、ウェブサーバ１３０のハードウェア構成の一例を示す図である。ウェブサーバ１３０は、仲介システム１００が提供する各種サービスを利用するためのウェブページを提供する。ウェブサーバ１３０は、プロセッサ１３１と、メモリ１３２と、ストレージ１３３と、通信装置１３４とを備えるコンピュータである。これらの装置は、バス１３５を介して接続されている。プロセッサ１３１、メモリ１３２、ストレージ１３３、通信装置１３４、及びバス１３５は、それぞれ、上述したプロセッサ１２１と、メモリ１２２と、ストレージ１２３と、通信装置１２４、バス１２５と同様であるため、その説明を省略する。
【００３０】
図５は、ウェブサーバ１３０の機能構成の一例を示す図である。ウェブサーバ１３０は、第１提供部２３１と、第２提供部２３２と、確認部２３３と、決済処理部２３４とを有する。これらの機能は、メモリ１３２に記憶されたプログラムと、このプログラムを実行するプロセッサ１３１との協働により、プロセッサ１３１が演算を行い又は通信装置１３４による通信を制御することにより実現される。
【００３１】
第１提供部２３１は、動画データを利用する権利の許諾を許可する第１操作に用いられる第１ユーザインターフェースをユーザに提供する。「ユーザインターフェース」とは、コンピュータとそのユーザの間での情報をやり取りするためのインターフェースをいう。ユーザインターフェースは、ユーザに情報を提示する手段又はユーザから情報の入力を受け付ける手段を有する。第１ユーザインターフェースは、例えば第１操作に用いられるＧＵＩ（Graphical User Interface）のインターフェース部品等の操作画像を含む１又は複数の画面である。
【００３２】
第２提供部２３２は、第１ユーザインターフェースを用いて利用する権利の許諾が許可された動画データから生成されたプレビューデータに応じたプレビュー動画を表示し、動画データを利用する権利の許諾を要求する第２操作に用いられる第２ユーザインターフェースを他のユーザに提供する。第２ユーザインターフェースは、例えばプレビュー動画と、第２操作に用いられるＧＵＩのインターフェース部品等の操作画像とを含む１又は複数の画面である。
【００３３】
確認部２３３は、ユーザに対して所定の利用規約に同意するかを確認する。この利用規約は、例えば仲介システム１００の利用の規則である。利用規約は、例えば仲介システム１００の運営者により予め定められる。利用規約に同意するかの確認は、例えば利用規約と、利用規約に同意するか否かを示す操作に用いられる操作画像とを含む画面を表示することにより行われる。
【００３４】
決済処理部２３４は、動画データを利用する権利を許諾する対価の決済処理を実行する。この対価は、例えば動画データを利用する権利が許諾される場合には、動画データの利用料である。この決済処理では、例えば動画データを利用するユーザに対してその対価が請求され、動画データを利用する権利を許諾したユーザにその対価が支払われる。この決済処理は、クレジットカード会社や金融機関を介して行われてもよい。
【００３５】
２．動作
２‐１．預ける際の動作
図６は、ユーザＡが動画データを預ける際の動作の一例を示すシーケンスチャートである。ユーザＡは、例えば番組製作会社の従業員であり、番組制作会社において制作された番組を示す動画データを保管システム１２０に預ける。ユーザＡは、予めユーザ登録をしており、ユーザ登録時に仲介システム１００の利用規約に同意している。なお、以下の説明では、ユーザＡが使用する端末装置１１０を「端末装置１１０Ａ」という。また、端末装置１１０Ａの構成については、符号の末尾に「Ａ」を付して説明する。
【００３６】
この動作に先立って、ユーザＡは、端末装置１１０Ａを用いて、ウェブサーバ１３０にログインする。これにより、端末装置１１０Ａの表示装置１１２Ａには、ウェブサーバ１３０により提供されるトップページの画面が表示される。この画面には、保管を依頼する操作に用いられる保管依頼ページへのリンクが含まれる。ユーザＡは、入力装置１１１Ａを用いて、保管依頼ページへのリンクをクリックする。
【００３７】
保管依頼ページへのリンクがクリックされると、端末装置１１０Ａは、保管依頼ページを取得する要求をウェブサーバ１３０に送信する（ステップ３０１）。ウェブサーバ１３０は、この要求に応じて、保管依頼ページを表示させるためのページデータを第１提供部２３１により端末装置１１０Ａに送信する（ステップ３０２）。ウェブサーバ１３０からページデータを受信すると、端末装置１１０Ａは、このページデータを用いて保管依頼ページの画面を表示装置１１２Ａに表示させる（ステップ３０３）。
【００３８】
保管依頼ページの画面には、動画データの保管を依頼するのに必要な情報を入力する操作を受け付ける入力フォームが含まれる。この情報には、動画を記録する記録媒体の種別及び動画の預け入れ方法が含まれる。記録媒体の種別には、例えばＨＤＤ及び磁気テープが含まれる。動画の預け入れ方法には、例えばＨＤＤ集荷及びテープ集荷が含まれる。ＨＤＤ集荷は、所定の配送会社が動画を記録したＨＤＤを集荷するという方法である。テープ集荷は、所定の配送会社が動画を記録した磁気テープを集荷するという方法である。ユーザＡは、入力装置１１１Ａを用いて必要な情報を入力フォームに入力する操作を行う。
【００３９】
端末装置１１０Ａは、入力された情報をウェブサーバ１３０に送信する（ステップ３０４）。この情報に含まれる預け入れ方法がＨＤＤ集荷又はテープ集荷である場合、所定の配送会社が、動画が記録されたＨＤＤ又は磁気テープをユーザＡから収集して、保管システム１２０に送り届ける。保管システム１２０の作業者は、このＨＤＤ又は磁気テープを対応する変換装置１５０にセットする。
【００４０】
変換装置１５０は、取得部２２１によりＨＤＤ又は磁気テープから所定の形式の動画データを取得する（ステップ３０５）。ＨＤＤに所定の形式の動画データが記録されている場合、取得部２２１は、ＨＤＤから動画データをそのまま取り込む。これにより、所定の形式の動画データが取得される。一方、磁気テープに動画が記録されている場合、取得部２２１は、磁気テープに記録された動画に応じた動画データを生成する。変換部２２２は、生成された動画データを非可逆圧縮することにより、所定の形式の動画データに変換する。これにより、所定の形式の動画データが取得される。
【００４１】
変換装置１５０は、取得された動画データの複製を生成部２２３が非可逆圧縮することにより、プレビューデータを生成する（ステップ３０６）。プレビューデータの圧縮率は、動画データの圧縮率よりも高いため、プレビューデータは、動画データよりもデータ量が少なくなる。変換装置１５０は、取得部２２１により取得された動画データとこのプレビューデータとを管理装置１６０に送信する（ステップ３０７）。変換装置１５０から動画データ及びプレビューデータを受信すると、管理装置１６０は、このプレビューデータを送信部２２４によりウェブサーバ１３０に送信する（ステップ３０８）。管理装置１６０からプレビューデータを受信すると、ウェブサーバ１３０は、このプレビューデータをストレージ１３３に格納する（ステップ３０９）。
【００４２】
図７は、ストレージ１３３に格納されたプレビューデータの一例を示す図である。この例では、プレビューデータは、プレビューデータに対応する動画データを識別するファイル名「Ｍ００１」と対応付けて格納される。
【００４３】
また、管理装置１６０は、変換装置１５０から受信した動画データを送信部２２４により格納装置１８０に送信する（ステップ３１０）。動画データを受信すると、格納装置１８０は、この動画データを格納する（ステップ３１１）。この動画データの圧縮率は、プレビューデータよりも圧縮率が低いため、圧縮後の動画データは、プレビューデータよりもデータ量が多く、画質の劣化が少ない。
【００４４】
図８は、格納装置１８０に格納された動画データの一例を示す図である。この例では、動画データは、その動画データを識別するファイル名「Ｍ００１」と対応付けて格納される。このファイル名「Ｍ００１」は、対応するプレビューデータのファイル名と同一である。
【００４５】
なお、上述したステップ３０４の後、ユーザＡから送られた記録媒体に非圧縮の動画が記録されている場合、変換装置１５０に代えて圧縮伸長装置１７０がその動画に応じた動画データを圧縮してもよい。この場合、記録媒体から取得された動画データは、圧縮されずに管理装置１６０から圧縮伸長装置１７０に送信される。圧縮伸長装置１７０は、圧縮部２２５によりこの動画データを可逆圧縮する。圧縮伸長装置１７０は、可逆圧縮された動画データを格納装置１８０に送信する。格納装置１８０は、上述したステップ３１１と同様に、この動画データを格納する。この動画データの圧縮率は、プレビューデータよりも圧縮率が低いため、圧縮後の動画データは、プレビューデータよりもデータ量が多く、画質の劣化が少ない。なお、この実施形態では、「変換部２２２」又は「圧縮部２２５」が、本発明に係る「圧縮部」として用いられている。
【００４６】
２‐２．出品する際の動作
図９は、保管システム１２０に保管されている動画データを出品する際の動作の一例を示すシーケンスチャートである。なお、ここでいう「出品」とは、動画データに対応するプレビューデータに応じて他者へのプレビュー動画の閲覧を許可し、動画データを利用する権利を許諾する対価を設定する行為をいう。ユーザが動画データを出品することにより、動画データを利用する権利の許諾が許可される。
【００４７】
この動作に先立って、ユーザＡは、端末装置１１０Ａを用いてウェブサーバ１３０にログインする。これにより、端末装置１１０Ａの表示装置１１２Ａには、ウェブサーバ１３０により提供されるトップページの画面が表示される。この画面には、動画データを出品する操作に用いられる出品ページへのリンクが含まれる。ユーザＡは、入力装置１１１Ａを用いて、出品ページへのリンクをクリックする。
【００４８】
出品ページへのリンクがクリックされると、端末装置１１０Ａは、出品ページを取得する要求をウェブサーバ１３０に送信する（ステップ４０１）。ウェブサーバ１３０は、この要求に応じて、出品ページを表示させるためのページデータを第１提供部２３１により端末装置１１０Ａに送信する（ステップ４０２）。ウェブサーバ１３０からページデータを受信すると、端末装置１１０Ａは、このページデータを用いて、出品ページの画面５１０を表示装置１１２Ａに表示させる（ステップ４０３）。
【００４９】
図１０は、出品ページの画面５１０の一例を示す図である。この例では、画面５１０には、入力フォーム５１１及び５１２と、出品ボタン５１３とが含まれる。入力フォーム５１１は、ユーザＡからの依頼に応じて保管システム１２０に保管された動画データの中から、出品する動画データを選択する操作を受け付ける。入力フォーム５１２は、選択された動画データの出品情報及び詳細情報を入力する操作を受け付ける。出品情報には、動画データの利用料が含まれる。詳細情報には、例えば動画データがテレビ番組を示す場合、テレビ番組のタイトル、出演者、初回放送日、収録日等の情報が含まれてもよい。出品ボタン５１３は、動画データを利用する権利の許諾を許可する操作を受け付ける。
【００５０】
例えば、ファイル名が「Ｍ００１」の動画データを利用する権利の許諾を許可する場合、ユーザＡは、入力装置１１１Ａを用いて、入力フォーム５１１においてファイル名が「Ｍ００１」の動画データを選択する操作を行う。また、ユーザＡは、入力装置１１１Ａを用いて、この動画データの出品情報及び詳細情報を入力フォーム５１２に入力する操作を行う。そして、ユーザＡは、入力装置１１１Ａを用いて、出品ボタン５１３を押す。
【００５１】
出品ボタン５１３が押されると、端末装置１１０Ａは、ユーザＡにより選択された動画データを出品する要求を、ウェブサーバ１３０に送信する（ステップ４０４）。この要求には、図１０に示す入力フォーム５１１において選択された動画データのファイル名「Ｍ００１」と、入力フォーム５１２に入力された出品情報及び詳細情報とが含まれる。この要求を受信すると、ウェブサーバ１３０は、この要求に含まれる出品情報及び詳細情報を、図７に示すファイル名「Ｍ００１」と対応付けてストレージ１３３に格納する。また、ウェブサーバ１３０は、利用規約を確認するための確認ページを表示させるためのページデータを確認部２３３により端末装置１１０Ａに送信する（ステップ４０５）。ウェブサーバ１３０からページデータを受信すると、端末装置１１０Ａは、このページデータを用いて、確認ページの画面５２０を表示装置１１２Ａに表示させる（ステップ４０６）。
【００５２】
図１１は、確認ページの画面５２０一例を示す図である。この例では、画面５２０には、ユーザ登録時に提示された利用規約のうち、出品に関する部分の抜粋又は要約が含まれる。この出品に関する部分は、例えば動画データを利用する権利を許諾する権原があることの確認を求める条項である。また、画面５２０には、利用規約に同意するか否かを示す操作を受け付ける「はい」というボタン５２１と「いいえ」というボタン５２２とが含まれる。利用規約に同意する場合、ユーザＡは、入力装置１１１Ａを用いてボタン５２１を押す。一方、利用規約に同意しない場合、ユーザＡは、入力装置１１１Ａを用いてボタン５２２を押す。
【００５３】
端末装置１１０Ａは、画面５２０を用いて行われた操作を示す操作情報をウェブサーバ１３０に送信する（ステップ４０７）。この操作情報には、ボタン５２１又は５２２のいずれかを押す操作を示す情報が含まれる。端末装置１１０Ａから操作情報を受信すると、ウェブサーバ１３０は、この操作情報に基づいて、ユーザＡが利用規約に同意したか否かを確認部２３３により判定する（ステップ４０８）。例えば操作情報にボタン５２２を押す操作を示す情報が含まれる場合には、ユーザＡが利用規約に同意していないことを示すため（ステップ４０８の判定がＮＯ）、以降の処理は行われず、この処理は終了する。一方、操作情報にボタン５２１を押す操作を示す情報が含まれる場合には、ユーザＡが利用規約に同意したことを示すため（ステップ４０８の判定がＹＥＳ）、この処理は次のステップ４０９に進む。
【００５４】
ウェブサーバ１３０は、ユーザＡが出品した動画データを、動画データに関する取引に用いられるマーケットサイトに登録する（ステップ４０９）。このマーケットサイトには、各ユーザが出品した動画データの一覧を示す一覧ページと、各動画データの詳細を示す詳細ページとが含まれる。この例では、ストレージ１３３においてファイル名「Ｍ００１」と対応付けて格納された出品情報及び詳細情報に基づいて、ファイル名が「Ｍ００１」の動画データの概要情報が一覧ページに追加されるとともに、この動画データの詳細を示す詳細ページが新たに作成される。
【００５５】
２‐３．動画データを利用する権利を購入する際の動作
図１２は、ユーザＢが動画データを利用する権利を購入する際の動作の一例を示すシーケンスチャートである。ここでいう「購入」とは、動画データを利用する権利の許諾を受けることをいう。ユーザＢは、例えば放送事業者の従業員であり、放送事業者での放送を目的として、他者により制作されたテレビ番組を示す動画データを利用する権利を所望している。ユーザＢは、ユーザＡと同様に、予めユーザ登録をしており、ユーザ登録時に仲介システム１００の利用規約に同意している。なお、以下の説明では、ユーザＢが使用する端末装置１１０を「端末装置１１０Ｂ」という。また、端末装置１１０Ｂの構成については、符号の末尾に「Ｂ」を付して説明する。
【００５６】
この動作に先立って、ユーザＢは、端末装置１１０Ｂを用いて、ウェブサーバ１３０にログインする。これにより、端末装置１１０Ｂの表示装置１１２Ｂには、ウェブサーバ１３０により提供されるトップページの画面が表示される。この画面には、出品された動画データの一覧を示す一覧ページへのリンクが含まれる。ユーザＢは、入力装置１１１Ｂを用いて、一覧ページへのリンクをクリックする。
【００５７】
一覧ページへのリンクがクリックされると、端末装置１１０Ｂは、一覧ページを取得する要求をウェブサーバ１３０に送信する（ステップ６０１）。ウェブサーバ１３０は、この要求に応じて、一覧ページを表示させるためのページデータを第２提供部２３２により端末装置１１０Ｂに送信する（ステップ６０２）。ウェブサーバ１３０からページデータを受信すると、端末装置１１０Ｂは、このページデータを用いて一覧ページの画面７１０を表示装置１１２Ｂに表示させる（ステップ６０３）。
【００５８】
図１３は、一覧ページの画面７１０の一例を示す図である。この例では、画面７１０には、各ユーザにより出品された動画データの一覧が含まれる。なお、この一覧に含まれる動画データは、いずれも、ユーザにより利用する権利の許諾が許可されるとともに、出品に関する利用規約に同意することが確認されたものである。この一覧には、上述したステップ４０９の処理により、ユーザＡにより出品されたファイル名が「Ｍ００１」の動画データの概要情報が追加されている。各動画データには、詳細ボタン７１１が設けられている。詳細ボタン７１１には、対応する動画データの詳細ページへのリンクが設定されている。ユーザＢは、動画データの一覧の中から、所望の動画データを検索する。例えばファイル名が「Ｍ００１」の動画データに興味がある場合、ユーザＢは、入力装置１１１Ｂを用いて、ファイル名が「Ｍ００１」の動画データに対応する詳細ボタン７１１を押す。
【００５９】
詳細ボタン７１１が押されると、端末装置１１０Ｂは、ファイル名が「Ｍ００１」の動画データの詳細ページを取得する要求をウェブサーバ１３０に送信する（ステップ６０４）。ウェブサーバ１３０は、この要求に応じて、この詳細ページを表示させるためのページデータを第２提供部２３２により端末装置１１０Ｂに送信する（ステップ６０５）。このページデータには、図７に示すファイル名「Ｍ００１」と対応付けてストレージ１３３に格納されたプレビューデータが含まれる。ウェブサーバ１３０からページデータを受信すると、端末装置１１０Ｂは、このページデータを用いて詳細ページの画面７２０を表示装置１１２Ｂに表示させる（ステップ６０６）。
【００６０】
図１４は、詳細ページの画面７２０の一例を示す図である。この例では、画面７２０には、再生ボタン７２１と、動画領域７２２とが含まれる。再生ボタン７２１は、ファイル名が「Ｍ００１」の動画データに対応するプレビュー動画の再生を指示する操作を受け付ける。このプレビュー動画を見たい場合、ユーザＢは、入力装置１１１Ｂを用いて再生ボタン７２１を押す。再生ボタン７２１が押されると、ページデータに含まれるプレビューデータを用いて、プレビュー動画が再生される。これにより、動画領域７２２にプレビュー動画が表示される。プレビュー動画は、動画データにより示される動画と内容及び再生時間は同じであるが、非可逆圧縮を経ているため、この動画よりも画質が低い。
【００６１】
また、画面７２０には、ファイル名が「Ｍ００１」の動画データの出品情報及び詳細情報と、購入ボタン７２３と、入力フォーム７２４とが含まれる。購入ボタン７２３は、ファイル名が「Ｍ００１」の動画データを利用する権利を購入する操作を受け付ける。入力フォーム７２４は、動画データの納品方法を選択する操作を受け付ける。この納品方法には、テープ納品とＨＤＤ納品とが含まれる。テープ納品は、動画データを磁気テープに記録した状態で納品する方法である。ＨＤＤ納品は、動画データをＨＤＤに記録した状態で納品する方法である。ユーザＢは、ファイル名が「Ｍ００１」の動画データを利用する権利を購入する場合、入力装置１１１Ｂを用いて入力フォーム７２４において納品方法を選択する操作を行った後、購入ボタン７２３を押す。
【００６２】
購入ボタン７２３が押されると、端末装置１１０Ｂは、ファイル名が「Ｍ００１」の動画データを利用する権利を購入する要求をウェブサーバ１３０に送信する（ステップ６０７）。この要求には、動画データのファイル名「Ｍ００１」と、入力フォーム７２４において選択されたこの動画データの納品方法とが含まれる。この要求を受信すると、ウェブサーバ１３０は、この要求に含まれるファイル名及び納品方法をストレージ１３３に格納する。また、ウェブサーバ１３０は、利用規約の確認に用いられる確認ページを表示させるためのページデータを確認部２３３により端末装置１１０Ｂに送信する（ステップ６０８）。ウェブサーバ１３０からページデータを受信すると、端末装置１１０Ｂは、このページデータを用いて確認ページの画面７３０を表示装置１１２Ｂに表示させる（ステップ６０９）。
【００６３】
図１５は、確認ページの画面７３０の一例を示す図である。この例では、画面７３０には、ユーザ登録時に提示された利用規約のうち、動画データの利用に関する部分の抜粋又は要約が含まれる。この動画データの利用に関する部分は、例えば動画データの利用回数を１回に制限する条項、利用期間を１か月に制限する条項、及び動画データの編集を制限する条項が含まれる。この動画データの編集を制限する条項は、図１５に示すように内容に影響を及ぼすような改変を禁止するものであってもよいし、動画データの一切の改変を禁止するもの、動画データの長さの改変以外を禁止するもの、又は動画データを短くする改変以外を禁止するものであってもよい。また、画面７３０には、利用規約に同意するか否かを示す操作を受け付ける同意ボタン７３１と不同意ボタン７３２とが含まれる。利用規約に同意する場合、ユーザＢは、入力装置１１１Ｂを用いて同意ボタン７３１を押す。一方、利用規約に同意しない場合、ユーザＢは、入力装置１１１Ｂを用いて不同意ボタン７３２を押す。
【００６４】
端末装置１１０Ｂは、画面７３０を用いて行われた操作を示す操作情報をウェブサーバ１３０に送信する（ステップ６１０）。この操作情報には、同意ボタン７３１又は不同意ボタン７３２のいずれかを押す操作を示す情報が含まれる。端末装置１１０Ｂから操作情報を受信すると、ウェブサーバ１３０は、この操作情報に基づいて、ユーザＢが利用規約に同意したか否かを確認部２３３により判定する（ステップ６１１）。操作情報に不同意ボタン７３２を押す操作を示す情報が含まれる場合には、ユーザＢが利用規約に同意していないことを示すため（ステップ６１１の判定がＮＯ）、以降の処理は行われず、この処理は終了する。一方、操作情報に同意ボタン７３１を押す操作を示す情報が含まれる場合には、ユーザＢが利用規約に同意したことを示すため（ステップ６１１の判定がＹＥＳ）、この処理は次のステップ６１２に進む。
【００６５】
ウェブサーバ１３０は、決済処理部２３４により決済処理を行う（ステップ６１２）。この決済処理は、例えばユーザ登録時にユーザＡ及びＢにより入力された決済情報を用いて行われる。この決済情報には、決済方法及びその決済方法において必要な情報が含まれる。例えばクレジットカードを利用して決済を行う場合、決済情報には、クレジットカード番号が含まれる。この例では、決済処理では、ユーザＢ又はユーザＢが属する事業者にファイル名が「Ｍ００１」の動画データの利用料が請求される一方、ユーザＡ又はユーザＡが属する事業者にこの動画データの利用料が支払われる。なお、ユーザＢ又はユーザＢが属する事業者には、動画データの利用料に加えて、仲介手数料が請求されてもよい。この場合、この仲介手数料は、仲介システム１００の運営者に支払われる。
【００６６】
決済処理が完了すると、ウェブサーバ１３０は、ファイル名が「Ｍ００１」の動画データを出力する要求を管理装置１６０に送信する（ステップ６１３）。この要求には、ストレージ１３３に格納された動画データのファイル名「Ｍ００１」と納品方法とが含まれる。ウェブサーバ１３０からこの要求を受信すると、管理装置１６０は、この要求に含まれるファイル名を送信部２２４により格納装置１８０に転送する（ステップ６１４）。ファイル名を受信すると、格納装置１８０は、このファイル名により識別される動画データの複製を生成し、管理装置１６０に送信する（ステップ６１５）。図８に示す例では、ファイル名「Ｍ００１」と対応付けて格納された動画データの複製が生成されて送信される。
【００６７】
格納装置１８０から動画データを受信すると、管理装置１６０は、この動画データを出力部２２７により出力する（ステップ６１６）。例えば納品方法がテープ納品である場合、出力部２２７は、動画データを磁気テープに書き込む。一方、納品方法がＨＤＤ納品である場合、出力部２２７は、動画データをＨＤＤに書き込む。動画データが記録されたＨＤＤ又は磁気テープは、所定の配送会社によりユーザＢに送付される。
【００６８】
なお、上述したステップ６１４において送信されたファイル名により識別される動画データが可逆圧縮されている場合、動画データが伸長されてから出力されてもよい。この場合、格納装置１８０は、動画データの複製を圧縮伸長装置１７０に送信する。圧縮伸長装置１７０は、この動画データを伸長部２２６により伸長する。この場合、伸長された動画データは、圧縮前の動画データと完全に一致する。圧縮伸長装置１７０は、伸長された動画データを管理装置１６０に送信する。管理装置１６０は、上述したステップ６１６と同様に、この動画データを出力する。
【００６９】
上述した実施形態によれば、保管システム１２０に保管されている動画データをそのまま出品することができるため、動画データを出品する際のユーザの手間が省ける。また、上述した実施形態では、ユーザは、詳細ページの画面７２０上において、プレビュー動画を再生することができる。このプレビュー動画は、原動画と内容及び再生時間が変わらない。したがって、ユーザは、動画データを利用する権利を購入する前に、その動画データが示す動画の内容を全て見ることができる。このように、上述した実施形態によれば、動画データを出品するユーザ及び動画データを利用する権利を購入する他のユーザの双方、すなわち動画データに関する取引を行うユーザの利便性が向上する。
【００７０】
また、上述した実施形態によれば、動画データが圧縮して格納されるため、動画データの格納に必要な格納装置１８０の容量を減らすことができる。特に動画データのデータ量に応じて保管費用がかかる場合には、保管費用を削減することができる。動画データは、他のデータに比べてデータ量が大きい傾向があるため、このように動画データを圧縮して格納するのは有効である。また、動画データが可逆圧縮される場合には、動画データを利用する権利を購入したユーザが、圧縮前の動画データと完全に等しい動画データを利用することができる。さらに、上述した実施形態では、ユーザから提供された記録媒体の内容を動画データに変換する機能を有する変換装置１５０が設けられている。これにより、記録媒体に記録されている動画についても動画データとして保管することができるとともに、この動画データを出品することができる。さらに、上述した実施形態によれば、仲介システム１００は、決済処理を実行する決済処理部２３４を有しているため、決済処理を含めて動画データに関する取引を仲介することができる。
【００７１】
さらに、上述した実施形態では、ユーザは、確認ページの画面５２０に含まれる利用規約に同意した場合に限り、上述したステップ４０９の処理が実行される。これにより、利用規約に同意することが確認されない動画データが出品されるのを防ぐことができる。また、利用規約には、動画データを利用する権利を許諾する権原があることの確認を求める条項が含まれる。ユーザにこの利用規約への同意を要求することにより、権利関係のクリアランスが確保されていない動画データの出品を防ぐことができる。このように、上述した実施形態によれば、利用規約に同意することが確認された動画データだけが出品され、他のユーザが利用する権利を購入することができるため、動画データに関する取引の安全性を高めることができる。
【００７２】
さらに、上述した実施形態では、確認ページの画面７３０において同意ボタン７３１を押した場合に限り、上述したステップ６１２以降の処理が実行される。これにより、利用規約に同意しないユーザが動画データを利用するのを防ぐことができる。また、この利用規約には、動画データの利用回数、利用期間、及び編集の制限が含まれる。ユーザがこの利用規約に同意し、利用規約を遵守することにより、動画データの利用回数、利用期間、及び編集を制限することができる。
【００７３】
なお、上述した実施形態では、格納装置１８０、ウェブサーバ１３０が、それぞれ、本発明に係る「格納部」、「提供装置」として用いられている。
【００７４】
３．変形例
本発明は上述した実施形態に限定されない。上述した実施形態に対し、種々の変形がなされてもよい。また、以下の変形例が組み合わせて実施されてもよい。
【００７５】
上述した実施形態において、動画データを預けるときに、動画データを利用する権利の許諾を許可するか否かの指定を受け付けてもよい。この場合、保管依頼ページの画面には、出品するか否かを指定する操作を受け付ける入力フォームと、動画データの出品情報及び詳細情報を入力する操作を受け付ける入力フォームとが含まれてもよい。
【００７６】
上述した実施形態において、預け入れ方法は、ＨＤＤ集荷及びテープ集荷に限定されない。例えば預け入れ方法には、オンライン送付が含まれてもよい。このオンライン送付は、端末装置１１０から通信回線１４０を介して保管システム１２０に送信する方法である。この場合、保管システム１２０には、転送装置が含まれてもよい。転送装置は、通信回線１４０を介して端末装置１１０に接続されるとともに、通信回線１９０を介して管理装置１６０に接続される。転送装置は、例えば高速にファイルを転送する機能を有する。
【００７７】
この場合、保管依頼ページの画面には、動画データの送信を指示する操作を受け付ける送信ボタンが含まれる。送信ボタンが押されると、端末装置１１０は、動画データを送信する。この動画データは、管理装置１６０又は転送装置に直接送信されてもよいし、ウェブサーバ１３０を介して管理装置１６０又は転送装置に送信されてもよい。管理装置１６０は端末装置１１０から送信された動画データを、直接、ウェブサーバ１３０を介して、又は転送装置を介して受信（取得）する。この動画データは、予め圧縮されていてもよい。この場合、変換部２２２又は圧縮部２２５による動画データの圧縮は行われない。
【００７８】
なお、動画データが示す動画の再生時間、動画データのデータ量、又は端末装置１１０との間の通信環境が所定の条件を満たさない場合には、送信ボタンを無効にして、動画データの送信を指示する操作を受け付けないようにしてもよい。この所定の条件には、例えば再生時間が所定の時間以下であるという条件、データ量が所定量以下であるという条件、又は通信速度が所定の速度以上であるという条件が含まれてもよい。
【００７９】
上述した実施形態において、納品方法は、テープ納品及びＨＤＤ納品に限定されない。例えば納品方法には、オンライン納品が含まれてもよい。このオンライン納品は、管理装置１６０から通信回線１４０を介して端末装置１１０に送信するという方法である。この場合、出力部２２７は、通信回線１４０を介して端末装置１１０に動画データを送信する。
【００８０】
この場合において、出力部２２７は、動画データが示す動画の再生時間、動画データのデータ量、又は端末装置１１０との間の通信環境が所定の条件を満たす場合には、動画データの複製を端末装置１１０に送信してもよい。この所定の条件には、例えば再生時間が所定の時間以下であるという条件、データ量が所定量以下であるという条件、又は通信速度が所定の速度以上であるという条件が含まれてもよい。一方、出力部２２７は、所定の条件を満たさない場合には、上述した実施形態と同様に、動画データを記録媒体に書き込んでもよい。なお、この場合には、例えば詳細ページの画面７２０に含まれる入力フォーム７２４において、オンライン納品を選択する操作を受け付けないようにしてもよい。
【００８１】
他の例において、出力部２２７は、各ユーザとの取り決めに従って、納品方法を変更してもよい。これにより、所定の条件を満たす場合には、動画データをデータ通信により他のユーザに提供することができる。また、所定の条件を満たさない場合には、動画データを記録媒体に記録した状態で他のユーザに提供することができる。
【００８２】
上述した実施形態において、ウェブサーバ１３０は、例えば上述したステップ６１２以降に、ファイル名が「Ｍ００１」の動画データをユーザＢが利用することをユーザＡに通知してもよい。この通知の方法は、例えば端末装置１１０Ａにその旨を示す電子メールを送信してもよいし、ユーザＡ用のトップページにその旨を掲載してもよい。
【００８３】
上述した実施形態において、一覧ページの画面７１０には、検索フォームが含まれてもよい。この検索フォームは、検索条件を入力する操作を受け付ける。この検索条件には、動画データの出品情報又は詳細情報に含まれる情報が含まれてもよい。この場合、各動画データのファイル名と対応付けてストレージ１３３に格納された出品情報及び詳細情報がインデックスとして用いられる。なお、インデックスは、ユーザの操作に応じて追加又は変更されてもよい。また、インデックスは、動画データに対して画像認識処理を施し、又は動画データに含まれる音声データに対して音声認識処理を施すことにより、ユーザの操作によらず、自動で生成されてもよい。検索フォームに検索条件が入力されると、入力された検索条件に該当する動画データが抽出され、検索結果として表示される。これにより、ユーザは、所望の動画データを容易に検索することができる。
【００８４】
上述した実施形態において、動画データの利用に関する利用規約の内容は、図１５に示す例に限定されない。例えば利用規約は、動画データの利用回数、利用期間、又は編集の制限のいずれか１つ又は２つだけが含まれてもよい。また、利用規約には、実際の著作権者の表示を求める条項が含まれてもよい。さらに、動画データの利用に関する利用規約の内容は、その動画データを出品したユーザ又は動画データによって変化してもよい。例えば動画データを出品したユーザが、動画データの利用期間を３か月に変更した場合、利用規約に含まれる利用期間が３か月に変更されてもよい。また、動画データがテレビ番組を示す場合、利用規約に含まれる利用回数は１回である一方、動画データが音楽のプロモーションビデオを示す場合、利用規約に含まれる利用回数は５回に変更されてもよい。
【００８５】
上述した実施形態において、仲介システム１００が行う取引の仲介は、企業間取引の仲介に限定されない。仲介システム１００は、例えば一般消費者間の取引の仲介を行ってもよいし、一般消費者と企業との間の取引の仲介を行ってもよい。すなわち、仲介システム１００が仲介する動画データに関する取引は、いわゆるＢｔｏＢ（Business to Business）に限定されず、ＣｔｏＣ（Consumer to Consumer）、ＢｔｏＣ（Business to Customer）、又はＣｔｏＢ（Consumer to Business）であってもよい。
【００８６】
上述した実施形態において、記録媒体は、磁気テープ又はＨＤＤに限定されない。記録媒体は、ＤＶＤ（Digital Versatile Disc）やブルーレイディスク（登録商標）等の光ディスク、ＶＨＳ（Video Home System：登録商標）ビデオテープ、ＤＶ（Digital Video）カセットテープ、ｍｉｎｉＤＶカセットテープ等、動画を記録する媒体であれば、どのような媒体であってもよい。
【００８７】
上述した実施形態において、記録媒体は、必ずしもユーザから送付されたものに限定されない。例えば記録媒体が予め倉庫に保管されている場合、記録媒体は、この倉庫から送付されてもよい。
【００８８】
上述した実施形態において、複数のウェブページを表示させるためのページデータがウェブサーバ１３０から端末装置１１０にまとめて送信されてもよい。この場合、ウェブページを移動する度に、ウェブサーバ１３０にウェブページの取得を要求しなくてもよい。
【００８９】
上述した実施形態において、複数のウェブページに含まれる要素が単一のウェブページに含まれてもよい。また、単一のウェブページに含まれる要素が複数のウェブページに含まれてもよい。
【００９０】
上述した実施形態において、仲介システム１００において行われる処理の一部は、作業員により行われてもよい。例えば、管理装置１６０は、上述したステップ６１４の処理に代えて、ファイル名を出力してもよい。この場合、作業員は、出力されたファイル名に基づいて、格納装置１８０から対象の動画データの複製を読み出す操作を行ってもよい。
【００９１】
上述した実施形態において、仲介システム１００において仲介される取引の対象は必ずしも動画データに限定されない。例えば取引の対象は、音声を示す音声データ、静止画を示す画像データ等、電子書籍を示すデータ等、動画以外のコンテンツを示すデータであってもよい。
【００９２】
仲介システム１００の機能を実現する主体は、上述した実施形態において説明した例に限定されない。保管システム１２０の機能の一部を、ウェブサーバ１３０又は外部装置が有してもよい。また、ウェブサーバ１３０の機能の一部を、保管システム１２０又は端末装置１１０が有していてもよい。例えばウェブサーバ１３０に代えて管理装置１６０が決済処理部２３４を有していてもよい。ウェブサーバ１３０に代えて端末装置１１０が確認部２３３を有していてもよい。同様に、保管システム１２０の機能を実現する主体も、上述した実施形態において説明した例に限定されない。また、単一の装置により実現される機能が、複数の装置により実現されてもよいし、複数の装置により実現される機能が単一の装置により実現されてもよい。例えば、保管システム１２０の機能を、全て管理装置１６０が有していてもよい。また、ウェブサーバ１３０が保管システム１２０に設けられてもよい。
【００９３】
仲介システム１００において行われる処理のステップは、上述した実施形態において説明した例に限定されない。この処理のステップは、矛盾のない限り、入れ替えられてもよい。また、仲介システム１００において行われる処理のステップの一部が行われなくてもよい。例えば上述したステップ４０５〜４０８の処理、又はステップ６０８〜６１１の処理が行われなくてもよい。さらに、本発明は、仲介システム１００において行われる仲介方法又は保管システム１２０において行われる保管方法として提供されてもよい。
【００９４】
本発明は、端末装置１１０と、ウェブサーバ１３０、変換装置１５０、管理装置１６０、圧縮伸長装置１７０、又は格納装置１８０において実行されるプログラムとして提供されてもよい。このプログラムは、インターネットなどの通信回線を介してダウンロードされてもよいし、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【００９５】
本明細書で使用する「第１」、「第２」という記載は、それを使用した要素の量又は順序を限定するものではない。これらの記載は、２つ以上の要素を区別するために使用されており、例えば数字を入れ替えて用いられてもよい。
【００９６】
上述した実施形態において、変換装置１５０は、磁気テープ等の記録媒体に記録された動画から非圧縮の動画データを生成してもよい。このようにして生成された非圧縮の動画データは、管理装置１６０を介して圧縮伸長装置１７０に送信され、圧縮部２２５により可逆圧縮されてもよい。このように、ユーザから保管が依頼された動画データは、非圧縮の動画データであってもよいし、ユーザにより既に圧縮された動画データであってもよい。また、格納装置１８０に格納される動画データは、非可逆圧縮された動画データであってもよいし、可逆圧縮された動画データであってもよい。この動画データの圧縮は、保管システム１２０内のどの装置で行われてもよい。
【符号の説明】
【００９７】
１００：仲介システム、１１０：端末装置、１２０：保管システム、１３０：ウェブサーバ、１５０：変換装置、１６０：管理装置、１７０：圧縮伸長装置、１８０：格納装置、２２１：取得部、２２２：変換部、２２３：生成部、２２４：送信部、２２５：圧縮部、２２６：伸長部、２２７：出力部、２３１：第１提供部、２３２：第２提供部、２３３：確認部、２３４：決済処理部
【図１】
2019168936.tif 000003
【図２】
2019168936.tif 000004
【図３】
2019168936.tif 000005
【図４】
2019168936.tif 000006
【図５】
2019168936.tif 000007
【図６】
2019168936.tif 000008
【図７】
2019168936.tif 000009
【図８】
2019168936.tif 000010
【図９】
2019168936.tif 000011
【図１０】
2019168936.tif 000012
【図１１】
2019168936.tif 000013
【図１２】
2019168936.tif 000014
【図１３】
2019168936.tif 000015
【図１４】
2019168936.tif 000016
【図１５】
2019168936.tif 000017
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
ユーザから保管が依頼された動画データを取得する取得部と、
前記取得された動画データを格納する格納部と、
前記動画データを利用する権利の許諾を許可する第１操作に用いられる第１ユーザインターフェースを前記ユーザに提供する第１提供部と、
前記取得された動画データの複製を圧縮することによりプレビューデータを生成する生成部と、
前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる第２ユーザインターフェースを他のユーザに提供する第２提供部と、
前記他のユーザが予め同意した利用規約のうち前記動画データの利用に関する部分を前記他のユーザに提示し、前記部分に同意するかを確認する確認部と、
前記部分への同意が確認されたことに応じて、前記格納部に格納された前記動画データのうち、前記第２ユーザインターフェースを用いて前記権利の許諾が要求された前記動画データの複製を出力する出力部と
を備える仲介システム。
【請求項２】
前記取得された動画データを、前記プレビューデータよりも低い圧縮率で圧縮する圧縮部をさらに備え、
前記格納部は、前記圧縮部により圧縮された前記動画データを格納する
請求項１に記載の仲介システム。
【請求項３】
前記生成部は、前記動画データを非可逆圧縮し、
前記圧縮部は、前記動画データを可逆圧縮し、
前記動画データの複製を伸長する伸長部をさらに備え、
前記出力部は、前記伸長された複製を出力する
請求項２に記載の仲介システム。
【請求項４】
前記取得部は、記録媒体に記録された動画に応じた動画データを取得する
請求項１から３のいずれか１項に記載の仲介システム。
【請求項５】
前記利用規約の前記部分は、前記動画データの利用回数、利用期間、又は編集の制限を含む
請求項１から４のいずれか１項に記載の仲介システム。
【請求項６】
前記確認部は、さらに前記ユーザが予め同意した前記利用規約のうち前記動画データを利用する権利の許諾の許可に関する他の部分を前記ユーザに提示し、前記他の部分に同意するかを確認し、
前記第２ユーザインターフェースは、前記ユーザが前記他の部分に同意することが確認された前記動画データにつき、前記権利の許諾を要求する操作を受け付ける
請求項１から５のいずれか１項に記載の仲介システム。
【請求項７】
前記利用規約の前記他の部分は、前記ユーザに対し前記動画データを利用する権利を許諾する権原があることの確認を求める条項を含む
請求項６に記載の仲介システム。
【請求項８】
前記出力部は、前記動画データに応じた動画の再生時間、前記動画データのデータ量、又は前記他のユーザが使用する端末装置との間の通信環境が所定の条件を満たす場合には、前記動画データの複製を前記端末装置に送信する
請求項１から７のいずれか１項に記載の仲介システム。
【請求項９】
前記出力部は、前記再生時間、前記データ量、又は前記通信環境が前記所定の条件を満たさない場合には、前記動画データの複製を送信せずに、前記動画データを記録媒体に書き込む
請求項８に記載の仲介システム。
【請求項１０】
前記動画データを利用する権利を許諾する対価の決済処理を実行する決済処理部をさらに備える
請求項１から９のいずれか１項に記載の仲介システム。
【請求項１１】
前記利用規約の前記部分は、前記ユーザ又は前記動画データによって変化する
請求項１から１０のいずれか１項に記載の仲介システム。
【請求項１２】
ユーザから保管が依頼された動画データを取得する取得部と、
前記取得された動画データを格納する格納部と、
前記動画データを利用する権利の許諾を許可する第１操作に用いられる第１ユーザインターフェースを前記ユーザに提供する第１提供部と、
前記取得された動画データの複製を圧縮することによりプレビューデータを生成する生成部と、
前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる第２ユーザインターフェースを他のユーザに提供する第２提供部と、
前記動画データに応じた動画の再生時間、前記動画データのデータ量、又は前記他のユーザが使用する端末装置との間の通信環境が所定の条件を満たす場合には、前記格納部に格納された前記動画データのうち、前記第２ユーザインターフェースを用いて前記権利の許諾が要求された前記動画データの複製を前記端末装置に送信し、前記再生時間、前記データ量、又は前記通信環境が前記所定の条件を満たさない場合には、前記動画データの複製を送信せずに、前記動画データを記録媒体に書き込む出力部と
を備える仲介システム。
【請求項１３】
ユーザから保管が依頼された動画データを取得する取得部と、
前記取得された動画データを格納する格納部と、
前記取得された動画データの複製を圧縮することによりプレビューデータを生成する生成部と、
前記生成されたプレビューデータを提供装置に送信する送信部と、
前記格納部に格納された前記動画データのうち、提供装置から前記ユーザに提供された第１ユーザインターフェースを用いて前記ユーザにより利用する権利の許諾が許可され、前記提供装置から他のユーザに提供された第２ユーザインターフェースを用いて前記他のユーザにより前記権利の許諾が要求された動画データの複製を出力する出力部とを備え、
前記第１ユーザインターフェースは、前記権利の許諾を許可する第１操作に用いられ、
前記第２ユーザインターフェースは、前記第１ユーザインターフェースを用いて前記権利の許諾が許可された前記動画データから生成された前記プレビューデータに応じたプレビュー動画を表示し、当該動画データを利用する権利の許諾を要求する第２操作に用いられ、
前記提供装置は、前記他のユーザが予め同意した利用規約のうち前記動画データの利用に関する部分を前記他のユーザに提示し、前記部分に同意するかを確認する確認部を有し、
前記出力部は、前記部分への同意が確認されたことに応じて、前記複製を出力する
保管システム。
【請求項１４】
ユーザから保管が依頼された動画データを取得するステップと、
前記取得された動画データを格納部に格納するステップと、
前記動画データを利用する権利の許諾を許可する第１操作に用いられる第１ユーザインターフェースを前記ユーザに提供するステップと、
前記取得された動画データの複製を圧縮することによりプレビューデータを生成するステップと、
前記第１ユーザインターフェースを用いて前記権利の許諾が許可された前記動画データから生成された前記プレビューデータに応じたプレビュー動画を表示し、当該動画データを利用する権利の許諾を要求する第２操作に用いられる第２ユーザインターフェースを他のユーザに提供するステップと、
前記他のユーザが予め同意した利用規約のうち前記動画データの利用に関する部分を前記他のユーザに提示し、前記部分に同意するかを確認するステップと、
前記部分への同意が確認されたことに応じて、前記格納部に格納された前記動画データのうち、前記第２ユーザインターフェースを用いて前記権利の許諾が要求された前記動画データの複製を出力するステップと
を備える仲介方法。